(57)【特許請求の範囲】
【請求項１】
印刷装置と接続されることで印刷システムを構成する印刷制御装置であって、
前記印刷装置に接続されている給紙トレイの構成情報を取得する給紙トレイ構成情報取得部と、
前記印刷装置に接続可能な給紙トレイにより給紙可能な用紙の属性を表す給紙トレイ制約情報を取得する用紙情報管理部と、
リストア処理要求が入力されたとき、バックアップされているユーザー定義用紙情報をリストアするリストア処理部と、
ユーザーの操作を受け付ける操作部と、を有し、
前記リストア処理部は、前記給紙トレイ構成情報取得部により取得された給紙トレイの構成情報、および前記用紙情報管理部により取得された給紙トレイ制約情報に基づいて、前記印刷装置に接続されている給紙トレイにより給紙可能なユーザー定義用紙情報のみをリストアする第１のリストア機能と、すべてのユーザー定義用紙情報をリストアする第２のリストア機能と、を有し、
前記操作部は、前記リストア処理部に、前記第１のリストア機能を実行させるか、前記第２のリストア機能を実行させるかをユーザーに選択させる画面をディスプレイに表示させる、印刷制御装置。
【請求項２】
請求項１に記載された印刷制御装置において、
前記給紙トレイ構成情報取得部は、前記印刷装置が接続されたときに前記給紙トレイの構成情報を取得する、印刷制御装置。
【請求項３】
請求項１又は２に記載された印刷制御装置において、
前記用紙情報管理部は、内部記憶部から前記給紙トレイ制約情報を取得する、印刷制御装置。
【請求項４】
請求項１又は２に記載された印刷制御装置において、
前記用紙情報管理部は、前記印刷装置から前記給紙トレイ制約情報を取得する、印刷制御装置。
【請求項５】
請求項１乃至４のいずれかに記載された印刷制御装置において、
リストア済みのユーザー定義用紙情報およびリストア未実施のユーザー定義用紙情報の一覧をディスプレイに表示させる手段を有する、印刷制御装置。
【請求項６】
請求項１乃至５のいずれかに記載された印刷制御装置において、
リストア済みのユーザー定義用紙情報およびリストア未実施のユーザー定義用紙情報の一覧の印刷データを前記印刷装置に出力する手段を有する、印刷制御装置。
【請求項７】
請求項１乃至６のいずれかに記載された印刷制御装置と、当該印刷制御装置に接続された印刷装置とを有する印刷システム。
【請求項８】
コンピュータを請求項１に記載された印刷制御装置の各部として機能させるためのプログラム。
【発明の詳細な説明】
【技術分野】
【０００１】
本発明は、印刷システム、その印刷制御装置およびプログラムに関する。
【背景技術】
【０００２】
近年、各種の企業、官公庁、学校その他の事業所等において、多品種少量の印刷物を、必要なときに必要な部数だけ印刷する「プロダクションプリンティング」のニーズが高まっている。そのプロダクションプリンティングによる印刷物そのものを製品にする場合もある。
【０００３】
そのため、プロダクションプリンティング向けのプリンタでは、従来の複写機やページプリンタなどによるオフィス印刷のような簡易な印刷のみではなく、高付加価値の印刷物を印刷できることが望まれている。
【０００４】
そこで、プロダクションプリンティング向けのプリンタでは、給紙トレイ内の用紙を切り替えることなく、多種多様な用紙を給紙できるようにするために、プリンタ本体に設けられている標準の給紙トレイのほか、オプションユニットとして、拡張用の給紙トレイを別途備えることができるように構成されている。これにより、ユーザーが所望の用紙を必要な数だけ給紙するために、給紙トレイの構成を変えることができる。
【０００５】
また、印刷制御装置と、複数の用紙対応能力の異なる給紙トレイを備えた印刷装置とが接続されたプロダクションプリンティング向けの印刷システムにおいて、印刷制御装置の各種設定情報をバックアップデータとして外部記憶装置に記憶し、バックアップデータを用いて他の印刷制御装置へ設定を復元するバックアップ・リストア機能と、ユーザーが所望の用紙で印刷を行うために、用紙サイズ・紙種・紙厚といった用紙情報を設定し、独自に定義した用紙（＝ユーザー定義用紙）として登録する機能を有し、上述したバックアップ・リストア機能により、印刷制御装置で記憶するユーザー定義用紙情報を外部記憶装置に記憶し、必要に応じてリストアすることで、その時点のユーザー定義用紙情報を復旧する技術が知られている。
【０００６】
すなわち、例えば特許文献１には、クライアントＰＣと、印刷制御装置（プリントコントローラ）と、印刷装置（画像形成装置）とをネットワークで接続した印刷システム（画像形成システム）において、印刷制御装置または印刷装置の置き換えの際に、ユーザー定義用紙情報を適切に維持する目的で、バックアップデータを用いて、印刷制御装置または印刷装置に用紙データをリストアすることが記載されている。
【発明の概要】
【発明が解決しようとする課題】
【０００７】
しかしながら、上記従来の印刷システムでは、バックアップデータとして記憶されたすべてのユーザー定義用紙情報をリストアするため、リソース面で効率が悪いという問題がある。
【０００８】
すなわち、例えば、バックアップ対象とした印刷制御装置とリストア対象とする印刷制御装置で、印刷装置が持つ給紙トレイの構成（数・種類など）が異なり、用紙対応能力に差異がある場合、給紙トレイの寸法上や配置上の制約により、特定のオプションとして設けられた給紙トレイでなければ給紙できず、結果として現在の印刷装置が持つ給紙トレイの構成では未対応なユーザー定義用紙データまでリストアしてしまう。
【０００９】
本発明は、このような問題を解決するためになされたものであり、その目的は、バックアップされているユーザー定義用紙情報をリストアするとき、現在の印刷装置の給紙トレイ構成で給紙可能なユーザー定義用紙情報のみのリストアを可能にすることである。
【課題を解決するための手段】
【００１０】
本発明に係る印刷制御装置は、印刷装置と接続されることで印刷システムを構成する印刷制御装置であって、前記印刷装置に接続されている給紙トレイの構成情報を取得する給紙トレイ構成情報取得部と、前記印刷装置に接続可能な給紙トレイにより給紙可能な用紙の属性を表す給紙トレイ制約情報を取得する用紙情報管理部と、リストア処理要求が入力されたとき、バックアップされているユーザー定義用紙情報をリストアするリストア処理部と、ユーザーの操作を受け付ける操作部と、を有し、前記リストア処理部は、前記給紙トレイ構成情報取得部により取得された給紙トレイの構成情報、および前記用紙情報管理部により取得された給紙トレイ制約情報に基づいて、前記印刷装置に接続されている給紙トレイにより給紙可能なユーザー定義用紙情報のみをリストアする第１のリストア機能と、すべてのユーザー定義用紙情報をリストアする第２のリストア機能と、を有し、前記操作部は、前記リストア処理部に、前記第１のリストア機能を実行させるか、前記第２のリストア機能を実行させるかをユーザーに選択させる画面をディスプレイに表示させる、印刷制御装置である。
【発明の効果】
【００１１】
本発明によれば、バックアップされているユーザー定義用紙情報をリストアするとき、現在の印刷装置の給紙トレイ構成で給紙可能なユーザー定義用紙情報のみのリストアが可能になる。
【図面の簡単な説明】
【００１２】
【図１】本発明の実施形態に係る印刷システムの利用環境の一例を示す図である。
【図２】本発明の実施形態に係る印刷システムのハードウェア構成を示すブロック図である。
【図３】本発明の実施形態に係る印刷システムの機能構成を示すブロック図である。
【図４】本発明の実施形態に係る印刷システムにおける給紙トレイ制約情報の例を示す図である。
【図５】本発明の実施形態に係る印刷システムにおけるリストア設定画面の例を示す図である。
【図６】本発明の実施形態に係る印刷システムにおけるリストア結果画面の例を示す図である。
【図７】本発明の実施形態に係る印刷システムにおけるユーザー定義用紙情報のリストア処理のフローを示す図である。
【発明を実施するための形態】
【００１３】
以下、本発明の実施形態について図面を参照して詳細に説明する。
〈印刷システムの利用環境〉
図１は、本発明の実施形態に係る印刷システムの利用環境の一例を示す図である。
図示のように、本発明の実施形態に係る印刷システム１は、ＬＡＮ（Local Area Network）などのネットワーク２を介して、クライアント端末３に接続されており、クライアント端末３から送信される印刷ジョブに応じて印刷を実行する。
【００１４】
印刷システム１は、印刷制御装置１０と、印刷装置２０とを備えており、印刷制御装置１０がネットワーク２に接続され、印刷制御装置１０と印刷装置２０とが通信線３０により接続されている。
【００１５】
各クライアント端末３はユーザーが使用するパーソナルコンピュータである。印刷制御装置１０は、デジタルフロントエンド（Digital Front End：ＤＦＥ）と呼ばれるプロダクションプリンタ用のサーバである。印刷装置２０は高付加価値の印刷物を高速で印刷できるプロダクションプリンタである。ネットワーク２および通信線３０は、有線通信に限らず確実に相互通信が可能であれば無線通信によるものも含む。
【００１６】
印刷制御装置１０は、印刷装置２０と通信を行い、印刷装置２０での画像の形成を制御する。クライアント端末３は、予めインストールされたアプリケーションにより、ＰＤＬなどの言語で記述された印刷データを作成し、その作成した印刷データを含む印刷ジョブを印刷制御装置１０へ送信する。印刷制御装置１０は、ＰＤＬなどの言語で記述された印刷データを、印刷装置２０が印刷可能な形式で描画された印刷データに変換し、その印刷データを、印刷装置２０へ送信する。
【００１７】
なお、図１に示した印刷システム１では、印刷制御装置１０が１台であるが、実際の印刷システムでは、例えば、各クライアント端末３を割り当てた複数台の印刷制御装置１０をネットワーク２に接続してもよい。また、クライアント端末３として、パーソナルコンピュータに代えて携帯情報端末装置（ＰＤＡ）やスマートフォン、タブレット端末などのモバイル端末等を使用することもできる。
【００１８】
〈印刷システムのハードウェア構成〉
図２は、本発明の実施形態に係る印刷システムのハードウェア構成を示すブロック図である。
【００１９】
図示のように、印刷制御装置１０は、通常のコンピュータを利用したハードウェア構成となっており、装置全体を制御するＣＰＵ（Central Processing Unit）１１と、各種データや各種プログラムを記憶するＲＯＭ（Read Only Memory）１２やＲＡＭ（Random Access Memory）１３などの主記憶部と、ユーザーに対する入出力を制御するユーザー入出力Ｉ／Ｆ（インタフェース）１４と、ネットワーク２および通信線３０を介する通信を行うためのネットワークＩ／Ｆ１５と、各種データや各種プログラムを記憶するＨＤＤ（Hard Disk Drive）１６からなる補助記憶部を備えている。
【００２０】
ユーザー入出力Ｉ／Ｆ１４には、ディスプレイ４０、キーボード５０、マウス６０、および外部記憶装置７０が接続されている。キーボード５０およびマウス６０は操作装置であり、印刷制御装置１０への各種の操作情報を入力する。ディスプレイ４０はＬＣＤ（Liquid Crystal Display）等の表示装置であり、各クライアント端末から受け付けた印刷ジョブの一覧、各印刷ジョブについてその印刷設定等の情報を表示する。外部記憶装置７０はバックアップデータを記憶する。
【００２１】
印刷制御装置１０における各種処理は、ＣＰＵ１１が主記憶部や補助記憶部に記憶されている各種プログラムを実行することにより実現されるものである。なお、これに限らず、これらの機能を個別の回路（ハードウェア）で実現することもできる。
【００２２】
印刷装置２０は、印刷制御装置１０から送られた画像データを印刷するためのプロッタ装置２１を備えている。また、印刷装置２０は、様々な種類の用紙を格納できるように複数の給紙トレイ２２を備えている。
【００２３】
〈印刷システムの機能構成〉
図３は、本発明の実施形態に係る印刷システムの機能構成を示すブロック図である。
【００２４】
図示のように、印刷制御装置１０は、印刷データ受信部１０１、印刷データ処理部１０２、印刷データ送信部１０３、用紙情報管理部１０４、給紙トレイ情報取得部１０７、記憶部（内部記憶部）１０８、操作部１０９、バックアップ処理部１１０、およびリストア処理部１１１を備えている。また、印刷制御装置１０には外部記憶装置７０が接続されている。
【００２５】
用紙情報管理部１０４は用紙情報解析部１０５、および給紙可否判定部１０６を備えている。また、記憶部１０８はユーザー定義用紙情報１０８ａおよび給紙トレイ制約情報１０８ｂを記憶する。
【００２６】
印刷データ受信部１０１はクライアント端末３から印刷データを受信する。印刷データ処理部１０２はＲＩＰやカラープロファイルなど印刷データを処理する。印刷データ送信部１０３は印刷データを印刷装置２０へ送信する。
【００２７】
用紙情報管理部１０４は、記憶部１０８に記憶されているユーザー定義用紙情報１０８ａを管理する。ユーザー定義用紙情報１０８ａのバックアップ実行時には、記憶部１０８に記憶されているユーザー定義用紙情報１０８ａをバックアップデータとしてバックアップ処理部１１０へ送信する。また、ユーザー定義用紙情報のリストア実行時には、記憶部１０８から給紙トレイ制約情報１０８ｂを取得する。また、ユーザー定義用紙情報のリストア実行時には、外部記憶装置７０に記憶（バックアップ）されているバックアップデータ７１のうち、ユーザー定義用紙情報のバックアップデータ７１ａを受け付け、ユーザー定義用紙情報のリストア処理を制御する。つまり、用紙情報管理部１０４は本発明に係る給紙トレイ制約情報取得手段およびリストア手段として機能する。
【００２８】
用紙情報解析部１０５は、ユーザー定義用紙情報のバックアップデータ７１ａから、各用紙の用紙情報（用紙名、用紙サイズ、用紙幅等）を解析し、メモリ（ＲＡＭ１３）に展開する。給紙可否判定部１０６は、用紙情報管理部１０４が記憶部１０８から取得する給紙トレイ制約情報１０８ｂを参照し、用紙情報解析部１０５で展開した各用紙の用紙情報から給紙トレイに給紙できる用紙か否かを判定する。なお、給紙トレイ制約情報１０８ｂについては、記憶部１０８の代わりに印刷装置２０で管理し、印刷制御装置１０の給紙トレイ情報取得部１０７が印刷装置２０から給紙トレイ制約情報を取得するように構成してもよい。また、給紙トレイ制約情報の詳細については図４を参照して後述する。
【００２９】
本発明に係る給紙トレイ構成情報取得手段としての給紙トレイ情報取得部１０７は、印刷装置２０から印刷装置２０に現在接続されている給紙トレイ２２の構成情報を取得する。取得するタイミングは、印刷制御装置１０と印刷装置２０とが接続されたとき、操作部１０９からユーザーがリストア処理要求を入力したとき等である。操作部１０９は、ユーザーに対する入力として、印刷設定の編集やユーザー定義用紙のリストアなどの操作を受け付ける。
【００３０】
バックアップ処理部１１０は、操作部１０９がユーザーからのバックアップ処理要求を受けた際に、バックアップ処理を実行し、各種設定のバックアップデータをまとめ、外部記憶装置７０に書き込む。また、バックアップ処理部１１０は、用紙情報管理部１０４に対して、用紙設定のバックアップデータ取得要求を送信し、ユーザー定義用紙情報のバックアップデータ７１ａを受信する。
【００３１】
リストア処理部１１１は、操作部１０９がユーザーからのリストア処理要求を受けた際に、リストア処理を実行し、外部記憶装置７０に記憶されているバックアップデータ７１を用いて、ユーザーがリストア対象として選択した設定に対してリストアを実行する。リストア対象としてユーザーが用紙設定を選択していた場合、リストア処理部１１１は、用紙情報管理部１０４にユーザー定義用紙のリストアを依頼する。
【００３２】
一方、印刷装置２０は、給紙トレイ２２、画像形成部２０１、および給紙トレイ判断部２０３を備えている。
【００３３】
画像形成部２０１は印刷データ送信部１０３から送信された印刷データをもとに画像を形成する。給紙トレイ判断部２０３は印刷装置２０に接続可能な各給紙トレイ２２の有無を判断し、現在接続されている給紙トレイ２２の構成情報を生成する。
【００３４】
また、給紙トレイ制約情報を印刷装置２０で管理する場合に、給紙トレイ制約情報２０５を記憶する記憶部２０４、給紙トレイ判断部２０３が生成した給紙トレイの構成情報および記憶部２０４が記憶する給紙トレイ制約情報２０５を印刷制御装置１０へ送信する給紙トレイ情報送信部２０２を備えている。
【００３５】
〈給紙トレイ制約情報〉
図４は、本発明の実施形態に係る印刷システムにおける給紙トレイ制約情報の例を示す図である。
【００３６】
給紙トレイ制約情報とは、用紙を各給紙トレイに給紙できるか否を判断するための用紙属性の制約条件を示したものである。ここでは、用紙属性として、用紙サイズ（size）、用紙幅（width）、用紙長さ（length）、用紙種類（type）、用紙坪量（weight type）、用紙種類と両面設定（duplex）の組み合わせ、および用紙サイズと紙送り方向（orientation）の組み合わせを図示した。
【００３７】
例えば、第１給紙トレイ２２−１の条件No.1には、用紙属性：「用紙サイズ」の制約条件として、「size＝A3||size＝A4||size＝A5…」が定義されており、ユーザー定義用紙の「用紙サイズが“A3”、“A4”、“A5”・・・」という条件を満たしている場合には「真」、条件を満たしていない場合は「偽」と判定される。
【００３８】
また、第１給紙トレイ２２−１の条件No.Nには、用紙属性：「用紙サイズ」と「紙送り方向」の制約条件として、「(orientation＝短辺送り)||（(orientation＝長辺送り)&&(size!=A3&&size!=A6 &&size!=B4…)）」が定義されており、ユーザー定義用紙の「紙送り方向が“短辺送り”」、または、「紙送り方向が“長辺送り”、かつ、用紙サイズが“A3”、“A6”、“B4”・・・以外の用紙サイズ」という条件を満たしている場合には「真」、条件を満たしていない場合には「偽」と判定される。
【００３９】
図のNo.1〜Nのすべての制約条件が「真」となった場合に、第１給紙トレイ２２−１に用紙を給紙可能であることを示す。第２給紙トレイ２２−２、第３給紙トレイ２２−３などについても同様である。
【００４０】
〈リストア設定画面〉
図５は、本発明の実施形態に係る印刷システムにおけるリストア設定画面の例を示す図である。
【００４１】
図３における操作部１０９からリストア設定を選択することで、リストア設定画面３００が表示される。リストア設定画面３００では、リストアする設定項目を選択することができ、選択した設定項目にはチェックマークが表示される。
【００４２】
ここでは、リストア設定画面３００には、用紙設定、ネットワーク設定、セキュリティ設定の各チェックボックス３０１、３０２、３０３、「ＯＫ」ボタン３０４、「キャンセル」ボタン３０５などが表示されている。また、チェックマークが表示されている用紙設定については、その内容として、「すべての用紙のリストア」、および「現在のトレイ構成で給紙可能な用紙のみをリストア」のチェックボックス３０６、３０７が表示され、かつチェックボックス３０７にチェックマークが表示されている。
【００４３】
「ＯＫ」ボタン３０４を押下した場合は、リストア処理が開始され、チェックした設定項目がリストアされる。また、「キャンセル」ボタン３０５を押下した場合は、リストア処理を実行せず、リストア設定画面３００を閉じる。
【００４４】
本実施形態では、用紙設定のリストア対象の選択項目として、「すべての用紙をリストア」と「現在のトレイ構成で給紙可能な用紙のみリストア」の項目を設け、「すべての用紙をリストア」を選択して「ＯＫ」ボタン３０４を押下した場合は、ユーザー定義用紙情報のリストア処理として、ユーザー定義用紙情報のバックアップデータ７１ａのすべてを印刷制御装置１０にリストアする（本発明に係る第２のリストア機能）。「現在のトレイ構成で給紙可能な用紙のみリストア」を選択して「ＯＫ」ボタン３０４を押下した場合は、ユーザー定義用紙情報のバックアップデータ７１ａのうち、現在の給紙トレイ構成で給紙可能なユーザー定義用紙情報のみを印刷制御装置１０にリストアする（本発明に係る第１のリストア機能）。
【００４５】
〈リストア結果画面〉
図６は、本発明の実施形態に係る印刷システムにおけるリストア結果画面の例を示す図である。リストア結果画面は、リストア完了画面３１０と、リストア詳細結果画面３２０からなる。
【００４６】
リストア処理の完了後、図示のようなリストア完了画面３１０をディスプレイ４０に表示する。リストア完了画面３１０には、リストア結果のテキスト（ここでは、「ユーザー定義用紙のリストアが完了しました。」、「リストア結果：」、「ユーザー定義用紙のバックアップから、XX個の用紙をリストアしました。」、「YY個の用紙は、現在有効になっているトレイには給紙できないため、リストアされませんでした。」）、「詳細結果を表示」ボタン３１１、および「閉じる」ボタン３１２が表示される。
【００４７】
図５のリストア設定画面３００において、用紙設定のリストア対象の設定項目として、「すべての用紙をリストア」を選択し、リストアを実行した場合、「詳細結果を表示」ボタン３１１を押下することで、リストアされたすべてのユーザー定義用紙の一覧がリストア詳細結果画面３２０に表示される。
【００４８】
図５のリストア設定画面３００において、用紙設定のリストア対象の設定項目として、「現在のトレイ構成で給紙可能な用紙のみをリストア」を選択し、リストアを実行した場合は、リストア完了画面３１０の「詳細結果を表示」ボタン３１１を押下することで、リストア詳細結果画面３２０には、リストアされた（リストア済み）ユーザー定義用紙の一覧と、リストアされなかった（リストア未実施）ユーザー定義用紙の一覧がそれぞれ表示される。
【００４９】
リストアされたユーザー定義用紙の一覧と、リストアされなかったユーザー定義用紙の一覧では、各ユーザー定義用紙の用紙情報（用紙名、用紙サイズ、用紙幅…）に加え、その用紙がどの給紙トレイに給紙できるかを示す情報として、「給紙可能トレイ」が表示される。
【００５０】
また、リストア詳細結果画面３２０において、「詳細結果を印刷」ボタン３２１を押下することで、リストア詳細結果画面３２０に表示しているユーザー定義用紙の一覧の印刷データを印刷装置２０に出力することができる。
【００５１】
リストア完了画面３１０で「閉じる」ボタン３１２を押下した場合は、詳細結果を表示せず、リストア完了画面３１０を閉じる。また、リストア詳細結果画面３２０で「閉じる」ボタン３２２を押下した場合は、リストア詳細結果画面３２０を閉じる。
【００５２】
〈リストア完了処理のフロー〉
図７は、本発明の実施形態に係る印刷システムにおけるユーザー定義用紙情報のリストア処理のフローを示す図である。
【００５３】
図５のリストア設定画面３００にて、ユーザーが「ＯＫ」ボタン３０４を押下した場合、まず操作部１０９がユーザーのボタン操作（リストア実行）を受信する（ステップＳ１）。
【００５４】
操作部１０９は、ボタン操作（リストア実行）を受信すると、リストア処理部１１１にリストア実行を依頼する（ステップＳ２）。このとき、操作部１０９は、ユーザーが図５のリストア設定画面３００で選択したリストア対象情報をリストア処理部１１１に送信する。
【００５５】
リストア処理部１１１は、操作部１０９からのリストア実行依頼を受けると、外部記憶装置７０に記憶されているバックアップデータ７１を取得する（ステップＳ３）。そして、リストア処理部１１１は、操作部１０９からのリストア対象情報をもとに、ユーザーが図５のリストア設定画面で選択したリストア対象に用紙設定が含まれているか否かを判定する（ステップＳ４）。
【００５６】
判定の結果、用紙設定がある場合は（ステップＳ４：Yes）、用紙情報管理部１０４にユーザー定義用紙情報のリストアを依頼する（ステップＳ５）。このとき、リストア処理部１１１は、用紙情報管理部１０４に、ユーザー定義用紙情報のバックアップデータ７１ａおよびユーザーによる用紙設定のリストア対象の選択情報（＝「すべての用紙をリストア」あるいは「現在のトレイ構成で給紙可能な用紙のみリストア」）を送信する。
【００５７】
用紙情報管理部１０４は、リストア処理部１１１からの依頼を受けると、ユーザー定義用紙情報のバックアップデータ７１ａを用紙情報解析部１０５に送り、用紙情報解析部１０５がユーザー定義用紙情報のバックアップデータ７１ａからユーザー定義用紙情報を解析し、メモリに各ユーザー定義用紙情報を展開する（ステップＳ６）。
【００５８】
次に用紙情報管理部１０４は、ステップＳ５にてリストア処理部１１１から受け取ったリストア対象の選択情報を確認し（ステップＳ７）、選択情報に応じたユーザー定義用紙情報のリストアを下記のＳ８〜Ｓ１４で実行する。
【００５９】
ステップＳ７でリストア対象が「すべての用紙をリストア」と判定した場合、用紙情報管理部１０４は、記憶部１０８にステップＳ６でメモリ展開したすべてのユーザー定義用紙情報を送り、ユーザー定義用紙情報のリストアを依頼する（ステップＳ８）。
【００６０】
ステップＳ７でリストア対象が「現在のトレイ構成で給紙可能な用紙のみリストア」と判定した場合、用紙情報管理部１０４は、記憶部１０８に給紙トレイ制約情報の取得を依頼し、給紙トレイ制約情報を取得する（ステップＳ９）。
【００６１】
その後、給紙可否判定部１０６は、ステップＳ６で展開した各ユーザー定義用紙情報を取得し、印刷制御装置１０と印刷装置２０の接続時に給紙トレイ情報取得部１０７が取得した現在の給紙トレイの構成情報、および、給紙トレイ制約情報をもとにユーザー定義用紙の給紙可否を判定する（ステップＳ１０）。
【００６２】
給紙可否の判定において、ユーザー定義用紙を給紙可能なトレイがあった場合は、該当する給紙トレイのトレイ番号をユーザー定義用紙情報に付加する。このトレイ番号は図６のリストア詳細結果画面３２０において、「給紙可能トレイ」の情報として用いられる。
【００６３】
ステップＳ１０による給紙可否の判定の結果、いずれか一つの給紙トレイにおいて給紙可能なトレイがある場合に（ステップＳ１１：Yes）、用紙情報管理部１０４は、記憶部１０８にユーザー定義用紙のリストアを依頼する（ステップＳ１２）。
【００６４】
上記ステップＳ８〜Ｓ１２の処理により、現在の給紙トレイ構成で給紙可能なユーザー定義用紙のデータのみが印刷制御装置１０にリストアされる。
【００６５】
リストア実行後、用紙情報管理部１０４は、ユーザー定義用紙のリストア完了をリストア処理部１１１に通知する（ステップＳ１３）。このとき、詳細結果の表示のために、ステップＳ６で解析した各用紙の用紙情報を併せて通知する。
【００６６】
リストア処理部１１１は、用紙情報管理部１０４からの通知を受けると、操作部１０９にリストア結果画面の表示を依頼する（ステップＳ１４）。操作部１０９は、この依頼に応じて、ディスプレイ４０にリストア結果画面を表示させる。
【００６７】
以上詳細に説明したように、本発明の実施形態に係る印刷システムによれば、印刷装置２０の現在の給紙トレイ２２で給紙可能なユーザー定義用紙情報のバックアップデータのみをリストアすることができるので、リソース面の効率を高めることができる。
【符号の説明】
【００６８】
１…印刷システム、１０…印刷制御装置、２０…印刷装置、２２…給紙トレイ、７０…外部記憶装置、７１ａ…ユーザー定義用紙情報のバックアップデータ、１０４…用紙情報管理部、１０７…給紙トレイ情報取得部、１０８…記憶部、１０８ａ…ユーザー定義用紙情報、１０８ｂ…給紙トレイ制約情報、１０９…操作部、１１１…リストア処理部。
【先行技術文献】
【特許文献】
【００６９】
【特許文献１】特開２００７−２７４５９２号公報
【図１】
0006631107.tif 000002
【図２】
0006631107.tif 000003
【図３】
0006631107.tif 000004
【図４】
0006631107.tif 000005
【図５】
0006631107.tif 000006
【図６】
0006631107.tif 000007
【図７】
0006631107.tif 000008